(57)【特許請求の範囲】
【請求項１】
複数の鉢部材を左右交互に積み重ねて所定高さに形成する植物載置体にあって、
前記鉢部材は、その一側部に第一係合体を他側部に第二係合体を設けて、積み重ねた隣り合う鉢部材は、該一方の鉢部材の第一係合体と他方の第二係合体との着脱自在の係合により連結されるものであり、
前記第一係合体か第二係合体かの取付位置を除いた鉢部材の上部において、植物が収容される収納凹部を設け、前記第一係合体と前記第二係合体とを貫通する通水路であって、この通水路は積み重ねた隣り合う鉢部材の通水路に連通するように設けられ、前記収納凹部の底部と前記通水路とを相通する排水孔を設けたことを特徴とする植物載置体。
【請求項２】
複数の鉢部材を左右交互に積み重ねて所定高さに形成する植物載置体にあって、
前記鉢部材は、その一側部に第一係合体を他側部に第二係合体を設けて、積み重ねた隣り合う鉢部材は、該一方の鉢部材の第一係合体と他方の第二係合体との着脱自在の係合により連結されるものであり、
前記第一係合体は前記鉢部材の一側部である側面に凹む凹状のものであり、前記第二係合体は前記鉢部材の他側部である下面に突出させる構成であって、前記鉢部材の上部において、植物が収容される収納凹部を設け、前記収納凹部と下側に隣接する鉢部材の収納凹部とを相通する排水孔を前記第二係合体に設け、前記収納凹部へ注ぎ込まれた水は前記排水孔を介して上部から順々に排水が落下する構成としたことを特徴とする植物載置体。
【発明の詳細な説明】
【０００１】
【産業上の利用分野】
本発明は、複数の鉢部材を積み重ねて、希望する大きさや形のものに簡単に組み立てて、多数の植物を同時に載置することができる植物載置体に関する。
【０００２】
【従来の技術】
従来、植木や草花などを育てたり観賞する際は、植木鉢やプランター，花器等にこの植木や草花などを植えたり挿したりしていたもので、一度に多くの植木や草花などを育てたり観賞したりするときは、広い載置スペースで多くの、植木鉢やプランター等を必要とするものであった。
【０００３】
そのため、一部では、軽石等の素材からなる原料を、刃物等で削って所定形状の立体的となるように形成し、この適所に複数のくぼみを設けることで植木や草花などを一度に多数を載置することができるものが供されていた。
【０００４】
しかしながら、このものは、原料から希望する立体的な形態に形成する作業が難しくて、細心の注意を払って加工したり作成後の取り扱いを慎重に行わないと割れたりして使用できない欠点があって、十分に利用できないものであった。
【０００５】
【発明が解決しようとする課題】
本発明は前記した問題点を解決するためになされたもので、複数の鉢部材を積み重ねて所定高さに形成する植物載置体にあって、鉢部材は、その上部に第一係合体を下部に第二係合体を設けて、積み重ねた隣り合う鉢部材は、該一方の鉢部材の第一係合体と他方の第二係合体との着脱自在の係合により連結されるものであり、第一係合体か第二係合体かの位置を除いた鉢部材の上部において、植物が収容される収納凹部を設けることにより、希望する立体的な形態に簡単かつ迅速に形成することができ、しかも、一個の植木鉢の載置スペースにおいて多くの植木や草花などを載置することができる植物載置体を提供することを目的としている。
【０００６】
【課題を解決するための手段】
前記の目的を達成するための本発明の手段は、
複数の鉢部材を左右交互に積み重ねて所定高さに形成する植物載置体にあって、
前記鉢部材は、その一側部に第一係合体を他側部に第二係合体を設けて、積み重ねた隣り合う鉢部材は、該一方の鉢部材の第一係合体と他方の第二係合体との着脱自在の係合により連結されるものであり、
前記第一係合体か第二係合体かの取付位置を除いた鉢部材の上部において、植物が収容される収納凹部を設け、前記第一係合体と前記第二係合体とを貫通する通水路であって、この通水路は積み重ねた隣り合う鉢部材の通水路に連通するように設けられ、前記収納凹部の底部と前記通水路とを相通する排水孔を設けた植物載置体の構成にある。
【０００７】
また、
複数の鉢部材を左右交互に積み重ねて所定高さに形成する植物載置体にあって、
前記鉢部材は、その一側部に第一係合体を他側部に第二係合体を設けて、積み重ねた隣り合う鉢部材は、該一方の鉢部材の第一係合体と他方の第二係合体との着脱自在の係合により連結されるものであり、
前記第一係合体は前記鉢部材の一側部である側面に凹む凹状のものであり、前記第二係合体は前記鉢部材の他側部である下面に突出させる構成であって、前記鉢部材の上部において、植物が収容される収納凹部を設け、前記収納凹部と下側に隣接する鉢部材の収納凹部とを相通する排水孔を前記第二係合体に設け、前記収納凹部へ注ぎ込まれた水は前記排水孔を介して上部から順々に排水が落下する構成とした植物載置体である。
【０００９】
【実施例】
次に、本発明に関する植物載置体の一実施例を図面に基づいて説明する。
図１および図４，図９においてＡは、植木や草花など植物ｂを育てたり観賞する際に用いる植物載置体で、複数の鉢部材１，１…を積み重ねて所定高さに形成するものであって、前記した鉢部材１は、その上部に第一係合体２を下部に第二係合体３を設けて、積み重ねた隣り合うこの鉢部材１，１は、該一方の鉢部材１の第一係合体２と他方の第二係合体３との着脱自在の係合により連結される。
【００１０】
この鉢部材１は、ケヤキやチークなどの耐水性を有する木材や、合成樹脂，陶器，セラミックス，金属製等により所定の形状に成形されるもので、木材の場合は、廃材や流木等を用いることができるものであり、この木材の表面を焼成することで趣向に富んだ外観を得ることもできるものであって、大きさを異ならして多数個を設けることで、積み重ねたときの全体形状に様々な変化が与えられて、利用者の希望する植物載置体Ａの外形状に形成させることができる。
【００１１】
更に、表面に凹凸模様４を施すことで、この凹凸模様４の中へ岩ヒバや水苔等の根等が入り込んで張り、これら岩ヒバや水苔等を簡単に付着保持させることができる。
【００１２】
前記した第一係合体２と第二係合体３とは、積み重ねたときの隣り合うそれぞれの鉢部材１，１が、容易に分離することなく連結される手段のものであれば任意の構成が採用できるもので、例えば、図１および図２，図７（ｂ）に示すように、第一係合体２を鉢部材１の一側部である上面から凹む凹状に設け、この第一係合体２の凹形状に対応するように、第二係合体３を鉢部材１の他側部である下面より突出させてある。
また、図５および図７（ａ）に示すように、鉢部材１の一側部である側面に凹む凹状の第一係合体２を設け、鉢部材１の他側部である下面に第二係合体３を突出させる構成であっても構わないものである。
【００１３】
これら第一係合体２および第二係合体３の係合部の外形状は、図３（ａ）に示すように、円形か、あるいは、図３（ｂ）に示すように、四角形か、図３（ｃ）に示すように、六角形等の多角形に形成するもので、この多角形に形成することで、鉢部材１の回動が規制される。
【００１４】
なお、これら第一係合体２および第二係合体３は、図４に示すように、第一係合体２を鉢部材１の上面から突出させ、この第一係合体２の凸形状に対応するように、第二係合体３を鉢部材１の下面より凹む凹状に形成させてもよい。
【００１５】
更に、この鉢部材１に設けた第一係合体２と第二係合体３とは、図２（ｂ）に示すように、該鉢部材１において、鉢部材１の横方向全体長さＬ１に対して一側へ、例えば、寸法Ｌ２のように偏らせて設けてあるもので、これにより、鉢部材１の上部において、後記する収納凹部５の成形スペースが得られる。
しかも、これら鉢部材１，１…を複数個に積み重ねたとき、該鉢部材１における後記する収納凹部５が、これら第一係合体２および第二係合体３を挟んで両側に配設することができる。
【００１６】
なお、該鉢部材１に設けた第一係合体２あるいは第二係合体３にあって、この鉢部材１の最下段に位置するものは、第二係合体３のみを設け、必要に応じて該鉢部材１の下側に台座１０を取り付けることもできる。
【００１７】
また、この第一係合体２か第二係合体３かの位置を除いた鉢部材１の上部において、植物ｂが収容される所定深さの収納凹部５を設けてある。
この収納凹部５内には、この内部へ直接植物栽培用の用土を入れたり、あるいは、図４において仮想線で示すように、用土の入った植木鉢ｃを介して載置してもよく、更には、花器として用いる場合には、該収納凹部５の内部に剣山などを置くこともできるもので、この場合、収納凹部５に後記する排出孔６を設けたときは、該収納凹部５内に水受けの水盤やカップ（図示せず）を嵌めた後、このカップ内へ前記剣山などを載置する。
【００１８】
更に、この鉢部材１にあって、該収納凹部５において直接植物を栽培したり、植木鉢ｃを用いて栽培したりするときは、この収納凹部５に散水した水の排出手段を設けるものであって、例えば、この収納凹部５における底部に排水孔６を設ける。
この排出孔６は、植物載置体Ａにあって上部の鉢部材１から下部の鉢部材１へ向かって流れ落ちるように配されているもので、該鉢部材１内に設けた通水路７にこの排水孔６を接続するようにしてある。
なお、上部の鉢部材１からの排水は、下部の鉢部材１における収納凹部５へ注ぎ込むように設けてもよく、上部から順々に排水が落下することで、一度撒いた散水を有効に利用することができる。また、この排水孔６は、そのまま鉢部材１の外部にその外端部を開口させてもよいもので、該鉢部材１の外周表部に岩ヒバや水苔等あるいは他の植物をはわせた場合、これら植物への水の供給となる。
【００１９】
また、最下段の鉢部材１にあって、上部の鉢部材１からの排水を受ける皿鉢１１を設けて、図１において仮想線で示すように、この皿鉢１１にこの最下段の鉢部材１を載置することで、室内等において、該植物載置体Ａを設置してもこの排水により室内を汚すことがない。
【００２０】
したがって、前記のように構成される本発明実施例の植物載置体Ａは、以下に述べる作用を奏する。
外形状の異なる複数個種類の鉢部材１，１…をあらかじめ用意しておき、最下段の鉢部材１における第二係合体３へこの上の段となる鉢部材１の第一係合体２を挿嵌する。
更に、この鉢部材１の第二係合体３へ次の上の段となる鉢部材１の第一係合体２を同様に挿嵌して、希望高さあるいは希望段数となるまでこれら鉢部材１，１…を積み上げると、図１に示すような、収納凹部５が第一係合体２および第二係合体３を挟んで左右交互にかつ複数段に配設された植物載置体Ａが形成される。
【００２１】
そして、それぞれの鉢部材１，１…におけるそれぞれの収納凹部５，５…へ、希望する一種類あるいは複数種類の植物ｂ，ｂ…を植えれば、立体的で多数の植物ｂの鉢植えができる。
このとき、植物ｂの植え付けは、収納凹部５へ直接用土を入れ、この用土に該植物ｂを植えたり、植木鉢ｃにより育てた植物ｂを収納凹部５内に設置したりすることができるもので、この植木鉢ｃを利用した場合には、適宜、他の植物ｂと植木鉢ｃごと入れ替えたりすることで、日々趣が変わると共に、植物ｂの生育状態に合わせてたり、植物載置体Ａの全体バランスに見合うように交換したりすることができる。
【００２２】
また、鉢部材１における収納凹部５へ植え付けた植物ｂへの散水にあって、過剰水は、該鉢部材１に設けた排水孔６および通水路７を経て、植物載置体Ａの外部へ排出されるので、この収納凹部５に撒き水が溜まって植物ｂの根腐れを起こしたりする不都合を生じさせない。
【００２３】
特に、この植物載置体Ａは、鉢部材１における第一係合体２と第二係合体３との着脱自在の係合によって、自由な高さや自由の複数段に形成させることができるので、利用者の好みと植物ｂの種類によって任意の形態にすることができるものである。
【００２４】
また、植物ｂの種類や載置する場所に応じて、鉢部材１の外観形状を適宜選択することで、例えば、図１に示すような自然石風や、図５に示すような丸太風、あるいは、図７（ａ）に示すような造形品風、更には、図７（ｂ）に示すような流木風等のような趣の良好な植物載置体Ａを得ることができる。
【００２５】
なお、上下の鉢部材１，１の結合を行う第一係合体２および第二係合体３は、図８に示すように、鉢部材１に設けた貫通孔２ａと、この貫通孔２ａへ着脱自在に挿嵌される繋ぎ部材３ａとにより構成することもできるものである。
【００２６】
この繋ぎ部材３ａは、鉢部材１の厚さＴと略同寸法Ｄ（Ｔ≒Ｄ）に形成されているものであり、植物載置体Ａにおける最下部に位置する鉢部材１に挿嵌される最下部の繋ぎ部材３ａは、鉢部材１の厚さＴの略Ｄ／２に形成されている。
したがって、二段目以降の鉢部材１においてその貫通孔２ａに挿嵌された繋ぎ部材３ａは、略Ｄ／２の寸法がこの鉢部材１上に突出することになるため、この突出した鉢部材１に対してその上段の鉢部材１の貫通孔２ａを挿嵌することで、上下の鉢部材１，１が連結される。
また、植物載置体Ａの高さ方向の寸法に見合う一本ものに形成してもよい。
【００２７】
なお、この繋ぎ部材３ａは、必要に応じて、中空状のパイプ状に形成して、その周囲適所に一箇所または複数箇所に水抜き孔２０を穿設しておけば、収納凹部５における底部に設けた拝趨以降の水の一部は、重なり合う上下の鉢部材１，１の間を流れ落ちて、貫通孔２ａからこの水抜き孔２０に排水される。
更に、該水抜き孔２０を流れる水の一部は、下部に位置する鉢部材１内に設けた通水路７を経て、該鉢部材１の収納凹部５に給水することもできる。
【００２８】
また、鉢部材１に設けた収納凹部５は、図１に示すように、第一係合体２および第二係合体３を挟んでその両側部における最外側以外に配置したり、図９に示すように、第一係合体２および第二係合体３を挟んで、該収納凹部５が前方へ向かってそれぞれ位置するように設けることもできるもので、この場合、第一係合体２および第二係合体３が円形に形成されることで、鉢部材１が該第一係合体２および第二係合体３を中心として自由に回動することができて、使用者の希望する位置に収納凹部５を設けることができる。
【００２９】
【発明の効果】
前述のように構成される本発明は、高さ方向へ鉢部材を複数段を積み重ねて形成するため、通常の植木鉢一個の載置スペースで多数の植物を載置することができるので、少ないスペースを有効利用することができる。
鉢部材の設けた収納凹部は、用土をそのまま入れて植物を植えたり、植木鉢を介して植物を入れたり、水を張った花器等に利用することができ、積み重ねたそれぞれの鉢部材ごとに異なる植え方や載置し方をして楽しむことができる。等の格別な効果を奏するものである。
【図面の簡単な説明】
【図１】本発明の植物載置体の第一実施例を半断面して示す正面図である。
【図２】図１における植物載置体に用いる一個の鉢部材を示すもので、（ａ）は斜視図であり、（ｂ）は断面図である。
【図３】図１における植物載置体の鉢部材の第一係合体および第二係合体の断面形状を示す説明図である。
【図４】図１における植物載置体の鉢部材の第一係合体および第二係合体の他の例を示す断面図である。
【図５】図１における植物載置体の他の形態を示す斜視図である。
【図６】図５における植物載置体に用いる鉢部材を示す斜視図である。
【図７】図１における植物載置体の他の形態を示すもので、（ａ）は斜視図であり、（ｂ）は正面図である。
【図８】図１における植物載置体の他の連結形態を示すもので、（ａ）は一部の断面図であり、（ｂ）は第二係合体の他の例を示す斜視図である。
【図９】図１における植物載置体の更に他の形態を示す斜視図である。
【符号の説明】
Ａ        植物載置体
ｂ        植物
１        鉢部材
２        第一係合体
３        第二係合体
４        主体
５        収納凹部
６        排水孔
【図１】
0003676306.tif 000002
【図２】
0003676306.tif 000003
【図３】
0003676306.tif 000004
【図４】
0003676306.tif 000005
【図５】
0003676306.tif 000006
【図６】
0003676306.tif 000007
【図７】
0003676306.tif 000008
【図８】
0003676306.tif 000009
【図９】
0003676306.tif 000010